【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
ＭＭＴ（ＭＰＥＧ Ｍｅｄｉａ Ｔｒａｎｓｐｏｒｔ）を用いてコンテンツをＩＰパケット化して送信する送信装置において、
スクランブル鍵をワーク鍵で暗号化した受信装置共通の共通鍵情報の所在を特定する位置情報を指定したテーブル情報であるＭＭＴパッケージテーブルを生成するＭＭＴパッケージテーブル生成手段と、
前記ワーク鍵を予め定めた受信装置ごとに個別の暗号鍵で暗号化した個別鍵情報の所在を特定する位置情報を指定したテーブル情報である限定受信テーブルを生成する限定受信テーブル生成手段と、
前記コンテンツを、ＭＭＴレイヤのＭＭＴＰパケットとして構成するＭＭＴＰパケット構成手段と、
前記ＭＭＴＰパケットをＩＰレイヤのＩＰパケットとして構成するＩＰパケット構成手段と、
予め定めたスクランブル対象を示すポリシに基づいて、前記ＩＰパケットのペイロード領域、または、前記ＭＭＴＰパケットのペイロード領域を前記スクランブル鍵でスクランブルするスクランブル手段と、
スクランブル対象のレイヤのヘッダ部分にスクランブルの有無を示すスクランブル制御情報を設定するヘッダ設定手段と、を備え、
前記限定受信テーブル生成手段が、前記スクランブル対象のレイヤを示すレイヤ識別を含む制御情報を前記限定受信テーブルに埋め込む処理を行うことを特徴とする送信装置。
【請求項２】
ＭＭＴ（ＭＰＥＧ Ｍｅｄｉａ Ｔｒａｎｓｐｏｒｔ）を用いてＩＰパケット化されたコンテンツを受信する受信装置において、
前記コンテンツをスクランブルしたスクランブル鍵をワーク鍵で暗号化した受信装置共通の共通鍵情報の所在を特定する位置情報を指定したテーブル情報であるＭＭＴパッケージテーブルを受信し、前記共通鍵情報の位置情報を抽出するＭＭＴパッケージテーブル処理手段と、
前記ワーク鍵を予め定めた受信装置ごとに個別の暗号鍵で暗号化した個別鍵情報の所在を特定する位置情報を指定したテーブル情報である限定受信テーブルを受信し、前記個別鍵情報の位置情報を抽出する限定受信テーブル処理手段と、
抽出したそれぞれの位置情報に基づいて取得した前記共通鍵情報と前記個別鍵情報とから、前記スクランブル鍵を抽出する鍵情報処理手段と、
スクランブルされたデータを前記スクランブル鍵でデスクランブルするデスクランブル手段と、
ＩＰレイヤがスクランブル対象となっている場合に、ＩＰパケットのペイロード領域を前記デスクランブル手段でデスクランブルし、ＭＭＴＰパケットを抽出するＩＰパケットフィルタリング手段と、
ＭＭＴレイヤがスクランブル対象となっている場合に、前記ＭＭＴＰパケットのペイロード領域を前記デスクランブル手段でデスクランブルし、前記コンテンツを抽出するＭＭＴＰパケットフィルタリング手段と、を備え、
前記ＩＰパケットフィルタリング手段が、
前記限定受信テーブルに、スクランブル対象がＩＰレイヤであることを示すレイヤ識別を含む制御情報が含まれている場合に、前記ＩＰパケットのペイロード領域がスクランブルされていると判定し、
前記ＭＭＴＰパケットフィルタリング手段が、
前記限定受信テーブルに、スクランブル対象がＭＭＴレイヤであることを示すレイヤ識別を含む制御情報が含まれている場合に、前記ＭＭＴＰパケットのペイロード領域がスクランブルされていると判定することを特徴とする受信装置。
【請求項３】
ＭＭＴ（ＭＰＥＧ Ｍｅｄｉａ Ｔｒａｎｓｐｏｒｔ）を用いてコンテンツをＩＰパケット化して送信する送信装置と、前記ＩＰパケット化されたコンテンツを受信する受信装置とを備え、前記コンテンツを限定受信させる限定受信システムであって、
前記送信装置は、
スクランブル鍵をワーク鍵で暗号化した受信装置共通の共通鍵情報の所在を特定する位置情報を指定したテーブル情報であるＭＭＴパッケージテーブルを生成するＭＭＴパッケージテーブル生成手段と、
前記ワーク鍵を予め定めた受信装置ごとに個別の暗号鍵で暗号化した個別鍵情報の所在を特定する位置情報を指定したテーブル情報である限定受信テーブルを生成する限定受信テーブル生成手段と、
前記コンテンツを、ＭＭＴレイヤのＭＭＴＰパケットとして構成するＭＭＴＰパケット構成手段と、
前記ＭＭＴＰパケットをＩＰレイヤのＩＰパケットとして構成するＩＰパケット構成手段と、
予め定めたスクランブル対象を示すポリシに基づいて、前記ＩＰパケットのペイロード領域、または、前記ＭＭＴＰパケットのペイロード領域を前記スクランブル鍵でスクランブルするスクランブル手段と、
スクランブル対象のレイヤのヘッダ部分にスクランブルの有無を示すスクランブル制御情報を設定するヘッダ設定手段と、を備え、
前記限定受信テーブル生成手段が、前記スクランブル対象のレイヤを示すレイヤ識別を含む制御情報を前記限定受信テーブルに埋め込む処理を行い、
前記受信装置は、
前記ＭＭＴパッケージテーブルを受信し、前記共通鍵情報の位置情報を抽出するＭＭＴパッケージテーブル処理手段と、
前記限定受信テーブルを受信し、前記個別鍵情報の位置情報を抽出する限定受信テーブル処理手段と、
抽出したそれぞれの位置情報に基づいて取得した前記共通鍵情報と前記個別鍵情報とから、前記スクランブル鍵を抽出する鍵情報処理手段と、
スクランブルされたデータを前記スクランブル鍵でデスクランブルするデスクランブル手段と、
ＩＰレイヤがスクランブル対象となっている場合に、ＩＰパケットのペイロード領域を前記デスクランブル手段でデスクランブルし、ＭＭＴＰパケットを抽出するＩＰパケットフィルタリング手段と、
ＭＭＴレイヤがスクランブル対象となっている場合に、前記ＭＭＴＰパケットのペイロード領域を前記デスクランブル手段でデスクランブルし、前記コンテンツを抽出するＭＭＴＰパケットフィルタリング手段と、を備え、
前記ＩＰパケットフィルタリング手段が、
前記限定受信テーブルに、スクランブル対象がＩＰレイヤであることを示すレイヤ識別を含む制御情報が含まれている場合に、前記ＩＰパケットのペイロード領域がスクランブルされていると判定し、
前記ＭＭＴＰパケットフィルタリング手段が、
前記限定受信テーブルに、スクランブル対象がＭＭＴレイヤであることを示すレイヤ識別を含む制御情報が含まれている場合に、前記ＭＭＴＰパケットのペイロード領域がスクランブルされていると判定することを特徴とする限定受信システム。
【手続補正２】
【補正対象書類名】明細書
【補正対象項目名】０００７
【補正方法】変更
【補正の内容】
【０００７】
従来、ネットワークレイヤのＩＰパケットで伝送されるデータを保護対象とする手法は存在しても、ＭＭＴレイヤのＭＭＴＰパケットで伝送される各種のコンポーネント（本編映像、本編音声、副音声、字幕等）を、コンポーネント単位、すなわち、サービス単位で保護する手法は存在しない。
このように、ネットワークレイヤのＩＰパケットのみを保護対象とした場合、データを保護することはできても、コンポーネント（ＭＭＴのアセットに相当）単位、すなわち、サービス単位で保護することができないため、コンポーネント（アセット）単位の柔軟性の高い課金機能を提供することができないという問題がある。
【手続補正３】
【補正対象書類名】明細書
【補正対象項目名】０００８
【補正方法】変更
【補正の内容】
【０００８】
本発明は、このような問題に鑑みてなされたものであり、ＭＭＴを用いて放送システムを構築する際に、ネットワークレイヤにおけるデータ保護のみならず、ＭＭＴレイヤにおける細かなサービス保護をも実現することが可能な送信装置、受信装置および限定受信システムを提供することを課題とする。
【手続補正４】
【補正対象書類名】明細書
【補正対象項目名】０００９
【補正方法】変更
【補正の内容】
【０００９】
前記課題を解決するため、本発明の限定受信システムを構成する送信装置および受信装置を、以下の構成とした。
すなわち、送信装置は、ＭＭＴを用いてコンテンツをＩＰパケット化して送信する送信装置において、ＭＭＴパッケージテーブル生成手段と、限定受信テーブル生成手段と、ＭＭＴＰパケット構成手段と、ＩＰパケット構成手段と、スクランブル手段と、ヘッダ設定手段と、を備える構成とした。
【手続補正５】
【補正対象書類名】明細書
【補正対象項目名】００１０
【補正方法】変更
【補正の内容】
【００１０】
かかる構成において、送信装置は、ＭＭＴパッケージテーブル生成手段によって、スクランブル鍵をワーク鍵で暗号化した受信装置共通の共通鍵情報の所在を特定する位置情報を指定したテーブル情報であるＭＭＴパッケージテーブル（ＭＰＴ）を生成する。また、送信装置は、限定受信テーブル生成手段によって、ワーク鍵を予め定めた受信装置ごとに個別の暗号鍵で暗号化した個別鍵情報の所在を特定する位置情報を指定したテーブル情報である限定受信テーブル（ＣＡＴ）を生成する。
【手続補正６】
【補正対象書類名】明細書
【補正対象項目名】００１３
【補正方法】変更
【補正の内容】
【００１３】
また、送信装置は、スクランブル手段によって、予め定めたスクランブル対象を示すポリシに基づいて、ＩＰパケットのペイロード領域、または、ＭＭＴＰパケットのペイロード領域（より詳細には、当該領域のデータ部）をスクランブル鍵でスクランブルする。
これによって、スクランブル手段は、ＩＰレイヤとＭＭＴレイヤの異なる２つのレイヤを対象としてスクランブルを施すことができる。
【手続補正７】
【補正対象書類名】明細書
【補正対象項目名】００１４
【補正方法】変更
【補正の内容】
【００１４】
そして、送信装置は、ヘッダ設定手段によって、スクランブル対象のレイヤのヘッダ部分にスクランブルの有無を示すスクランブル制御情報を設定する。
また、送信装置は、限定受信テーブル生成手段によって、スクランブル対象のレイヤを示すレイヤ識別を含む制御情報を限定受信テーブルに埋め込む処理を行う。
これによって、送信装置は、受信装置に対して、ＩＰレイヤまたはＭＭＴレイヤにおいて、どのレイヤのデータにスクランブルが施されているのかを通知することができる。
【手続補正８】
【補正対象書類名】明細書
【補正対象項目名】００１５
【補正方法】変更
【補正の内容】
【００１５】
また、受信装置は、ＭＭＴを用いてＩＰパケット化されたコンテンツを受信する受信装置において、ＭＭＴパッケージテーブル処理手段と、限定受信テーブル処理手段と、鍵情報処理手段と、デスクランブル手段と、ＩＰパケットフィルタリング手段と、ＭＭＴＰパケットフィルタリング手段と、を備える構成とした。
【手続補正９】
【補正対象書類名】明細書
【補正対象項目名】００１６
【補正方法】変更
【補正の内容】
【００１６】
かかる構成において、受信装置は、ＭＭＴパッケージテーブル処理手段によって、ＭＭＴパッケージテーブルを受信し、共通鍵情報の位置情報を抽出する。また、受信装置は、限定受信テーブル処理手段によって、ワーク鍵を予め定めた受信装置の管理単位ごとに個別の暗号鍵で暗号化した個別鍵情報の所在を特定する位置情報を指定したテーブル情報である限定受信テーブルを受信し、個別鍵情報の位置情報を抽出する。
そして、受信装置は、鍵情報処理手段によって、抽出したそれぞれの位置情報に基づいて取得した共通鍵情報と個別鍵情報とから、スクランブル鍵を抽出する。すなわち、鍵情報処理手段は、個別鍵情報を受信装置個別の暗号鍵で復号してワーク鍵を抽出し、共通鍵情報をワーク鍵で復号することで、スクランブル鍵を抽出する。
【手続補正１０】
【補正対象書類名】明細書
【補正対象項目名】００１７
【補正方法】変更
【補正の内容】
【００１７】
そして、受信装置は、ＩＰパケットフィルタリング手段によって、ＩＰレイヤがスクランブル対象となっている場合に、ＩＰパケットのペイロード領域をデスクランブル手段でデスクランブルし、ＩＰパケットからＭＭＴＰパケットを抽出する。
また、受信装置は、ＭＭＴＰパケットフィルタリング手段によって、ＭＭＴレイヤがスクランブル対象となっている場合に、ＭＭＴＰパケットのペイロード領域（より詳細には、当該領域のデータ部）をデスクランブル手段でデスクランブルし、ＭＭＴＰパケットからコンテンツを抽出する。
【手続補正１１】
【補正対象書類名】明細書
【補正対象項目名】００１８
【補正方法】変更
【補正の内容】
【００１８】
このとき、ＩＰパケットフィルタリング手段は、限定受信テーブルに、スクランブル対象がＩＰレイヤであることを示すレイヤ識別を含む制御情報が含まれている場合に、ＩＰパケットのペイロード領域がスクランブルされていると判定する。
【手続補正１２】
【補正対象書類名】明細書
【補正対象項目名】００１９
【補正方法】変更
【補正の内容】
【００１９】
また、ＭＭＴＰパケットフィルタリング手段は、限定受信テーブルに、スクランブル対象がＭＭＴレイヤであることを示すレイヤ識別を含む制御情報が含まれている場合に、ＭＭＴＰパケットのペイロード領域がスクランブルされていると判定する。
これによって、受信装置は、スクランブルされているＩＰレイヤまたはＭＭＴレイヤを正しく認識し、各レイヤのデータをデスクランブルすることができる。
【手続補正１３】
【補正対象書類名】明細書
【補正対象項目名】００２０
【補正方法】変更
【補正の内容】
【００２０】
本発明は、以下に示す優れた効果を奏するものである。
本発明によれば、メディアトランスポート方式としてＭＭＴを用い、伝送路（放送／通信）を問わずにコンテンツを伝送する放送システムにおいて、サービス（番組）を構成するＭＭＴを保護することができる。
また、本発明によれば、スクランブル対象に応じて、ＩＰレイヤとＭＭＴレイヤとの異なる２つのレイヤのデータに対して、スクランブルを施すことができる。
これによって、本発明は、例えば、放送で伝送された副音声のみを課金対象とすることが可能になる等のコンポーネント単位の細かなサービス保護を実現することができるほか、番組に関係がないデータのデータ保護もあわせて実現することができる。